(57)【特許請求の範囲】
【請求項１】
複数の番組の中から選択された番組を受信する複数の番組受信装置と、
前記複数の番組受信装置のそれぞれを、前記複数の番組の中から選択された番組のそれぞれに割り当てて、予め決定された順序で、割り当てられた番組と番組受信装置とのペアのリストを作成する割り当て手段と、前記リストに登録されたそれぞれの番組を表す情報は、前記予め決定された順序で表示手段で表示され、
前記複数の番組受信装置のうちの１つの出力に接続され、前記リストにおいて現在選局されている番組を表示する再生手段とを備え、
前記リストにおける互いに異なる第一の方向と第二の方向のうちの選択された方向において前記現在選局されている番組に隣接する番組のその後の選局がリモート制御手段により行われ、
前記割り当て手段は、前記その後の選局に応答して、特定の番組受信装置を、前記リストに現在登録されていない新たな番組に割り当てし直し、前記特定の番組受信装置は、前記選択された方向とは反対の方向において前記リストの端で登録されている特定の番組に現在割り当てられている番組受信装置である、
ことを特徴とする受信機。
【請求項２】
前記複数の番組の数は、複数の番組受信装置の数よりも多い、
ことを特徴とする請求項１記載の受信機。
【請求項３】
前記番組は、インターネットから到来する、
ことを特徴とする請求項１記載の受信機。
【請求項４】
請求項１乃至３の何れか記載の受信機において使用される複数の番組のデータを受信する方法であって、
前記受信機の前記割り当て手段は、
前記複数の番組受信装置のそれぞれを、前記複数の番組の中から選択された番組のそれぞれに割り当てて、予め決定された順序で、割り当てられた番組と番組受信装置とのペアのリストを作成するステップと、前記リストに登録されたそれぞれの番組を表す情報は、前記予め決定された順序で表示手段で表示され、前記リストにおける互いに異なる第一の方向と第二の方向のうちの選択された方向において前記現在選局されている番組に隣接する番組のその後の選局がリモート制御手段により行われ、
前記その後の選局に応答して、特定の番組受信装置を、前記リストに現在登録されていない新たな番組に割り当てし直すステップとを実行し、
前記特定の番組受信装置は、前記選択された方向とは反対の方向において前記リストの端で登録されている特定の番組に現在割り当てられている番組受信装置である、
ことを特徴とする方法。
【発明の詳細な説明】
【０００１】
【発明の属する技術分野】
本発明は、多くのプログラムからのデータの受信機に関する。
【０００２】
また本発明は、多くのプログラムのうちの１つを受信する方法に関する。
【０００３】
本発明は、特に、プログラムがインターネット又はこのタイプのネットワークにより供給されるテレビジョンプログラム及び／又はラジオプログラムである場合に、興味深い応用を提供するものである。
【０００４】
【従来の技術】
特許公報PCT WO99/40506号から、これら多くのプログラムの間でのナビゲーション方法が知られている。
【０００５】
【発明が解決しようとする課題】
しかし、上記方法は、より複雑な受信プロセスを必要とする非常に多くのプログラムの受信を管理するための解決策を何ら与えていない。
【０００６】
【課題を解決するための手段】
本発明は、プログラムの受信の問題を解決する、開始節において記載されたタイプの受信機を提案するものである。多くのプログラムのあるナビゲーションの助けが提供される間に、該受信機による受信は、複雑な受信機能を必要とする。
【０００７】
かかる受信機は、予め確立された基準に従うプログラムを受信するための複数の他のプログラム受信装置をさらに備えることを特徴としている。
【０００８】
本発明のこれら及び他の態様は、以下に記載される実施の形態を参照して、限定するものではない例により明らかとなり、解明される。
【０００９】
【発明の実施の形態】
図１は、インターネット５に接続される、本発明による受信機１を示している。このネットワークは、マルチメディアデータサーバを備えており、該サーバのうちの２つが図１において示されている。それらは、１０及び１１として参照されるサーバである。受信機１及びサーバ１０及び１１は、ノード２０〜２４を介して相互接続される。
【００１０】
デジタル形式で現れるこれらのデータを再生するために、処理時間を要する様々な処理が実行される。この時間は、プログラムを変更するユーザにとって耐え難いものとなる。
【００１１】
たとえば、データがＭＰＥＧ−４標準により伝送されるテレビジョン放送である場合を考えると、伝送されたデータストリームにおいて現れるランダムアクセスポイント（ＲＡＰ）の遅延に既に向けられる。これらのポイントは参照画像に対応しており、画像系列の連続性を確立するために様々な更新がなされるこれらのポイントに基づいている。これらのポイントは、その大きさのオーダが数秒である時間周期において生じる。これが、プログラムを変更した時に、これら数秒の間待たなければならないという障害を引き起こし、この事がユーザを大いに悩ませる。
【００１２】
受信機は、これらの処理を実行するためのパイプライン技術を使用する。該技術は、ユーザがプログラムを見る前に、様々な信号フレームが受信されることを必要とする。
【００１３】
バッファメモリは、これらの処理のために使用されるものであり、これらプログラムの出現をさらに遅延する。
【００１４】
さらに、より深刻なことは、インターネットのタイプのネットワークを介してのプログラムの配信による遅延である。ユーザ自身が要求することになる。サーバにより伝送されるそれぞれのデータパケットについての様々なノード間で、パスが作られる。結果的に、これらの変動をキャンセルする遅延を付加することにより、受信機が除去することになる変動ができる。
【００１５】
図２において示される受信機１は、プログラムを変更した時の遅延の感覚を大いに解決することを可能にする。この受信機１は、表示スクリーン及び他のマルチメディア装置、特に音声装置を組込んでいる再生要素３０を備えている。
【００１６】
また、受信機１は、スクリーン３３及びキーパッド３４を有しているリモートコントロールボックス３２によりここでは構成されている指示要素を備えている。キーパッドは、再生要素３０についてプログラムの変更を可能にするものである。
【００１７】
このキーパッド３４は、特に「＋」及び「−」キーを備えており、該キーは、プログラムを連続的に切り替えることができる。インタフェース回路３５は、インターネット５へのリンクを保証するものである。
【００１８】
本発明によれば、この受信機は、並列に動作する複数の受信装置４０，４１，４２，４３及び４４を備えている。再生要素３０は、これら受信装置のうちの１つの出力に接続されている。これはスイッチ４９により示されている。全てのこれらの装置は、インターネットの全てのプログラムを受信することができる。これは、装置４０〜４４の入力にそれぞれ接続されているスイッチ５０〜５４により示されている。
【００１９】
図３は、プログラムのタイトル又はそれらのリファレンスが、リモートコントロールボックス３２のスクリーン３３上にどのように位置するかを示している。好ましくは、プログラムのリファレンスは、位置Ｅ１からＥ５に置かれる。該位置の数は、それぞれの受信装置の数に対応する。これらの位置は、円６０に沿って配置しており、該円の弧のみをスクリーン３３上に見ることができる。
【００２０】
キーボード３４の「＋」及び「−」キーがタッチされた時、再生されるプログラムのリファレンスが回転された印象を持つ。これらのリファレンスは、ある基準、たとえばあるサイトからの全てのプログラムに従って定義される。中央領域６２は、ハッチング形式で表されており、選択されたプログラムを決定する。ある点では、回転木馬が形成されている。
【００２１】
図４は、「＋」及び「−」キーが押された時に、数百又はそれ以上のプログラムのリストのプログラムのリファレンスがどのように表示されるか、及びどの受信装置がどれに関連するか、を示している。
【００２２】
図において、様々な列が示されており、列「０」は、リモートコントロールの考慮中である初期状態を表している。位置Ｅ１〜Ｅ５では、プログラムのリファレンスＰ０８〜Ｐ１２がそれぞれ表示されている。これらのプログラムは、受信装置４０〜４４のそれぞれにより処理される。これらの装置のリファレンスは、この図における括弧に示されている。
【００２３】
「−」キーが最初に押された時、プログラムＰ９のリファレンスは位置Ｅ３に見られる。プログラムＰ１２は、もはや見えなくなり、該プログラムＰ１２に割当てられている受信装置４４は、入手可能なように返される。これにより、最初に「−」キーが一旦押されると、該装置４４は、リファレンスＰ０７のプログラムのデータ処理のために準備される。次に「−」キーが押されると、表示されているプログラムのリファレスの別の回転がなされる。この時選択されるのは、リファレンスがＰ０８であるプログラムであり、受信装置４３は、リファレンスがＰ０６であるプログラムを処理するためにフリーにされる。「＋」キーが押された場合、最初に「−」キーが押された時と同じ場合である。
【００２４】
したがって、プログラムの表示されるリストは、ユーザ選択の機能として展開される。
【００２５】
したがって、受信装置のうちの１つにより未だ処理されていないプログラムを選択するために、ユーザは少なくとも２回キーを押すことになることが理解される。キーのそれぞれの押下でユーザが数回プログラムをみたと仮定すると、これらの回数は、回転木馬に戻る新たなプログラムの再生を確立するために十分である。
【００２６】
好適と思われる回転木馬としてのレイアウトと共に、図５において示されるようなスクロールレイアウトを好んでもよい。スクリーン３３の異なるライン上に様々な位置Ｅ１〜Ｅ５が配置されている。「＋」及び「−」キーで操作することにより、プログラムのリファレンスは垂直に移動する。中央のハッチングラインは、選択されたプログラムを表している。
【００２７】
また、ハッチングされた選択領域を変更することも可能であるが、該領域が停止に到達した時、ユーザは、停止を超えて位置するプログラムに関する情報をもはや有しない。
【００２８】
したがって、受信装置のうちの１つをクリアしてロードする連続的な方法でプログラムはアクセス可能である。
【００２９】
様々な受信装置により処理されるプログラムは、ユーザのお気に入りのプログラムに対応することもできる。この場合、別の基準を形成してもよい。
【図面の簡単な説明】
【図１】本発明が実現される伝送システムを示す図である。
【図２】本発明による受信機を示す図である。
【図３】プログラムリファレンスの第１配置を示す図である。
【図４】プログラムリファレンスの第２配置を示す図である。
【図５】プログラムリファレンスのスクロールレイアウトを示す図である。
【符号の説明】
１：受信機
５：インターネット
１０，１１：サーバ
２０〜２４：ノード
３０：再生要素
３２：リモートコントロールボックス
３３：スクリーン３３
３４：キーパッド
３５：インタフェース回路
４０〜４４：複数の受信装置
４９：スイッチ
５０〜５４：スイッチ
【図１】
0005009466.tif 000002
【図２】
0005009466.tif 000003
【図３】
0005009466.tif 000004
【図４】
0005009466.tif 000005
【図５】
0005009466.tif 000006